(57)【要約】【課題】スライドショー表示制御の実行中にスライドショーに含まれる画像の印刷を行うに際して、簡便に印刷イメージを確認しつつ印刷状態を得る画像表示装置を提供する。【解決手段】スライドショーの実行中に表示装置２２に表示される画像５２を印刷対象として選択する選択手段４２と、印刷に係る画像情報をプリンタ３８へ出力する出力手段４４と、出力された画像５２の印刷状況を検知する印刷検知手段４６と、印刷に係る画像５２のプレビュー画像５６を作成するプレビュー画像作成手段４８と、スライドショーにプレビュー画像５６を追加すると共に、その印刷状況に応じてスライドショーにおけるプレビュー画像５６の表示態様を変更するものであることから、スライドショー表示制御中にダイレクトに印刷対象となる画像５２を選択できると共に、そのスライドショーを停止することなくその画像５２に係る印刷プレビュー画像５６を確認することができる。【選択図】図３
2011154566.tif 000002
【特許請求の範囲】
【請求項１】
複数の画像をディスプレイに断続的に切替表示させるスライドショー表示制御を実行するスライドショー表示制御手段を備えた画像表示装置であって、
前記スライドショー表示制御の実行中に、前記ディスプレイに表示される画像を印刷対象として選択する選択手段と、
該選択手段により選択された画像に関する情報をプリンタへ出力する出力手段と、
該出力手段により出力された画像の前記プリンタによる印刷状況を検知する印刷検知手段と、
前記選択手段により選択された画像の前記プリンタによる印刷に関するプレビュー画像を作成するプレビュー画像作成手段と
を、備え、
前記スライドショー表示制御手段は、前記スライドショー表示制御において切替表示される前記複数の画像に前記プレビュー画像作成手段により作成されたプレビュー画像を追加すると共に、前記印刷検知手段により検知される印刷状況に応じて前記スライドショー表示制御における該プレビュー画像の表示態様を変更するものである
ことを特徴とする画像表示装置。
【請求項２】
前記スライドショー表示制御手段は、前記スライドショー表示制御において切替表示される前記複数の画像のうち前記プレビュー画像作成手段により作成されたプレビュー画像に対応する画像を該プレビュー画像に置換すると共に、前記印刷検知手段により検知される印刷状況に応じて前記スライドショー表示制御における該プレビュー画像の表示態様を変更するものである請求項１に記載の画像表示装置。
【請求項３】
前記プリンタの状態を取得する状態取得手段を備え、
前記スライドショー表示制御手段は、該状態取得手段により取得される前記プリンタの状態に応じて前記スライドショー表示制御における前記プレビュー画像の表示態様を変更するものである請求項１又は２に記載の画像表示装置。
【請求項４】
前記スライドショー表示制御手段は、前記プレビュー画像作成手段により前記プレビュー画像が作成された時点における前記スライドショーの表示状況に応じて該スライドショー表示制御における該プレビュー画像の表示態様を変更するものである請求項１から３の何れか１項に記載の画像表示装置。
【請求項５】
複数の画像をディスプレイに断続的に切替表示させるスライドショー表示制御を実行するスライドショー表示制御過程を含む画像表示方法であって、
前記スライドショー表示制御の実行中に、前記ディスプレイに表示される画像を印刷対象として選択する選択過程と、
該選択過程において選択された画像に関する情報をプリンタへ出力する出力過程と、
該出力過程において出力された画像の前記プリンタによる印刷状況を検知する印刷検知過程と、
前記選択過程において選択された画像の前記プリンタによる印刷に関するプレビュー画像を作成するプレビュー画像作成過程と
を、含み、
前記スライドショー表示制御過程は、前記スライドショー表示制御において切替表示される前記複数の画像に前記プレビュー画像作成過程において作成されたプレビュー画像を追加すると共に、前記印刷検知過程において検知される印刷状況に応じて前記スライドショー表示制御における該プレビュー画像の表示態様を変更するものである
ことを特徴とする画像表示方法。
【発明の詳細な説明】
【技術分野】
【０００１】
本発明は、複数の画像を断続的に切替表示させるスライドショー表示制御を実行する画像表示装置及び画像表示方法に関し、特に、そのスライドショー表示制御において切替表示される画像の印刷を併行して行う処理の改良に関する。
【背景技術】
【０００２】
所定の記憶媒体に記憶された画像情報を読み出し、その画像情報をディスプレイに表示させる所謂デジタルフォトフレームが広く一般に用いられている。また、そのようなデジタルフォトフレームの一態様として、複数の画像を所定の時間間隔で断続的に切替表示させるスライドショー表示制御を実行するものが知られている。また、スライドショー表示制御の実行中にそのスライドショーに含まれる画像を選択し、スライドショー表示制御と併行してその印刷を行う印刷装置が提案されている（特許文献１を参照）。
【先行技術文献】
【特許文献】
【０００３】
【特許文献１】特開２００７−２８３６０９号公報
【発明の概要】
【発明が解決しようとする課題】
【０００４】
しかし、前述したような従来の技術では、スライドショー表示制御中にダイレクトに印刷対象となる画像を選択できるものの、実際に印刷される画像のイメージを確認することができない。従って、利用者の所望する印刷設定とは違う画像が印刷されてしまう等の不具合があった。一方、印刷する画像のイメージを確認しようとした場合、前記スライドショー表示制御を一旦停止する必要があり不便であった。
【０００５】
本発明は、以上の事情を背景として為されたものであり、その目的とするところは、スライドショー表示制御の実行中にスライドショーに含まれる画像の印刷を行うに際して、簡便に印刷イメージを確認しつつ印刷状態を得る画像表示装置及び画像表示方法を提供することにある。
【課題を解決するための手段】
【０００６】
斯かる目的を達成するために、本第１発明の要旨とするところは、複数の画像をディスプレイに断続的に切替表示させるスライドショー表示制御を実行するスライドショー表示制御手段を備えた画像表示装置であって、前記スライドショー表示制御の実行中に、前記ディスプレイに表示される画像を印刷対象として選択する選択手段と、その選択手段により選択された画像に関する情報をプリンタへ出力する出力手段と、その出力手段により出力された画像の前記プリンタによる印刷状況を検知する印刷検知手段と、前記選択手段により選択された画像の前記プリンタによる印刷に関するプレビュー画像を作成するプレビュー画像作成手段とを、備え、前記スライドショー表示制御手段は、前記スライドショー表示制御において切替表示される前記複数の画像に前記プレビュー画像作成手段により作成されたプレビュー画像を追加すると共に、前記印刷検知手段により検知される印刷状況に応じて前記スライドショー表示制御におけるそのプレビュー画像の表示態様を変更することを特徴とするものである。
【０００７】
また、前記目的を達成するために、本第２発明の要旨とするところは、複数の画像をディスプレイに断続的に切替表示させるスライドショー表示制御を実行するスライドショー表示制御過程を含む画像表示方法であって、前記スライドショー表示制御の実行中に、前記ディスプレイに表示される画像を印刷対象として選択する選択過程と、その選択過程において選択された画像に関する情報をプリンタへ出力する出力過程と、その出力過程において出力された画像の前記プリンタによる印刷状況を検知する印刷検知過程と、前記選択過程において選択された画像の前記プリンタによる印刷に関するプレビュー画像を作成するプレビュー画像作成過程とを、含み、前記スライドショー表示制御過程は、前記スライドショー表示制御において切替表示される前記複数の画像に前記プレビュー画像作成過程において作成されたプレビュー画像を追加すると共に、前記印刷検知過程において検知される印刷状況に応じて前記スライドショー表示制御におけるそのプレビュー画像の表示態様を変更することを特徴とするものである。
【発明の効果】
【０００８】
このように、前記第１発明によれば、前記スライドショー表示制御の実行中に、前記ディスプレイに表示される画像を印刷対象として選択する選択手段と、その選択手段により選択された画像に関する情報をプリンタへ出力する出力手段と、その出力手段により出力された画像の前記プリンタによる印刷状況を検知する印刷検知手段と、前記選択手段により選択された画像の前記プリンタによる印刷に関するプレビュー画像を作成するプレビュー画像作成手段とを、備え、前記スライドショー表示制御手段は、前記スライドショー表示制御において切替表示される前記複数の画像に前記プレビュー画像作成手段により作成されたプレビュー画像を追加すると共に、前記印刷検知手段により検知される印刷状況に応じて前記スライドショー表示制御におけるそのプレビュー画像の表示態様を変更するものであることから、スライドショー表示制御中にダイレクトに印刷対象となる画像を選択できると共に、そのスライドショー表示制御を一旦停止することなくその画像に係る印刷プレビュー画像を確認することができる。すなわち、スライドショー表示制御の実行中にそのスライドショーに含まれる画像の印刷を行うに際して、簡便に印刷イメージを確認しつつ印刷状態を得る画像表示装置を提供することができる。
【０００９】
ここで、前記第１発明において、好適には、前記スライドショー表示制御手段は、前記スライドショー表示制御において切替表示される前記複数の画像のうち前記プレビュー画像作成手段により作成されたプレビュー画像に対応する画像をそのプレビュー画像に置換すると共に、前記印刷検知手段により検知される印刷状況に応じて前記スライドショー表示制御におけるそのプレビュー画像の表示態様を変更するものである。このようにすれば、スライドショー表示制御に係る画像の表示枚数を増加させることなく、同様の画像を繰り返し表示することを避けることができる。
【００１０】
また、好適には、前記プリンタの状態を取得する状態取得手段を備え、前記スライドショー表示制御手段は、その状態取得手段により取得される前記プリンタの状態に応じて前記スライドショー表示制御における前記プレビュー画像の表示態様を変更するものである。このようにすれば、前記プリンタによる印刷状況やエラー状態等に応じて前記プレビュー画像のスライドショー表示制御における表示順や表示そのものを変化させることで、前記画像の印刷に関する情報をわかりやすく確認できる。
【００１１】
また、好適には、前記スライドショー表示制御手段は、前記プレビュー画像作成手段により前記プレビュー画像が作成された時点における前記スライドショーの表示状況に応じてそのスライドショー表示制御におけるそのプレビュー画像の表示態様を変更するものである。このようにすれば、例えばスライドショーの残り画像枚数が比較的多い場合や残り時間が比較的長い場合等においてプレビュー画像の確認が遅れる等の弊害の発生を抑制することができる。
【００１２】
また、前記第２発明によれば、前記スライドショー表示制御の実行中に、前記ディスプレイに表示される画像を印刷対象として選択する選択過程と、その選択過程において選択された画像に関する情報をプリンタへ出力する出力過程と、その出力過程において出力された画像の前記プリンタによる印刷状況を検知する印刷検知過程と、前記選択過程において選択された画像の前記プリンタによる印刷に関するプレビュー画像を作成するプレビュー画像作成過程とを、含み、前記スライドショー表示制御過程は、前記スライドショー表示制御において切替表示される前記複数の画像に前記プレビュー画像作成過程において作成されたプレビュー画像を追加すると共に、前記印刷検知過程において検知される印刷状況に応じて前記スライドショー表示制御におけるそのプレビュー画像の表示態様を変更するものであることから、スライドショー表示制御中にダイレクトに印刷対象となる画像を選択できると共に、そのスライドショー表示制御を一旦停止することなくその画像に係る印刷プレビュー画像を確認することができる。すなわち、スライドショー表示制御の実行中にそのスライドショーに含まれる画像の印刷を行うに際して、簡便に印刷イメージを確認しつつ印刷状態を得る画像表示方法を提供することができる。
【図面の簡単な説明】
【００１３】
【図１】本発明の一実施例である画像表示装置の外観の概要を示す図である。
【図２】図１の画像表示装置に備えられた構成を説明するブロック線図である。
【図３】図１の画像表示装置の制御部に備えられた制御機能の要部を説明する機能ブロック線図である。
【図４】図３の制御部によるスライドショー表示制御において、表示装置に複数の画像が断続的に切替表示される様子を説明する図である。
【図５】図３の制御部により図４に示す画像のうちの１枚に対応して作成されるプレビュー画像の一例を示す図である。
【図６】図３の制御部によるスライドショー表示制御において、表示装置にプレビュー画像を含む複数の画像が断続的に切替表示される様子を説明する図である。
【図７】図３の制御部によるスライドショー表示制御において、画像表示装置の制御部、表示装置、及びプリンタそれぞれの作動が連動する様子を説明する図であり、図６のスライドショー表示制御に対応するものである。
【図８】図３の制御部によるスライドショー表示制御において、表示装置にプレビュー画像を含む複数の画像が断続的に切替表示される他の一例の様子を説明する図である。
【図９】図３の制御部による制御タスクの要部を説明するフローチャートである。
【図１０】図９に示す制御タスクにおけるプリント指示操作制御の要部を説明するフローチャートである。
【図１１】図９に示す制御タスクにおけるプリント状態操作制御の要部を説明するフローチャートである。
【図１２】図９に示す制御タスクと併行して実行される、図３の制御部による表示制御タスクの要部を説明するフローチャートである。
【図１３】図１２に示す表示制御タスクにおける画像切替処理の要部を説明するフローチャートである。
【図１４】図３の制御部によるスライドショー表示制御に用いられる表示リストの要部を例示するものである。
【図１５】図３の制御部によるスライドショー表示制御において、プリンタによる印刷直前である画像に対応するプレビュー画像が表示されるようにスライドショーにおける画像の表示順が変更される様子を説明する図である。
【図１６】図３の制御部によるスライドショー表示制御において、エラー状態であるプレビュー画像の代替として表示されるエラー画像を例示する図である。
【図１７】図９に示す制御タスクと併行して実行される、図３の制御部による表示制御タスクの他の一例の要部を説明するフローチャートである。
【図１８】図９に示す制御タスクにおけるプリント指示操作制御の他の一例の要部を説明するフローチャートである。
【図１９】図３の制御部によるスライドショー表示制御に用いられる表示リストの要部を例示するものであり、各画像の印刷設定を記憶する態様を示している。
【図２０】図１２に示す表示制御タスクにおける画像切替処理の他の一例の要部を説明するフローチャートである。
【図２１】図３の制御部によるスライドショー表示制御において作成される印刷リストを例示する図である。
【図２２】図３の制御部によるスライドショー表示制御に用いられるスライドショーリストを例示する図である。
【発明を実施するための形態】
【００１４】
以下、本発明の好適な実施例を図面に基づいて詳細に説明する。
【実施例】
【００１５】
図１は、本発明の一実施例である画像表示装置１０の外観の概要を示す図である。また、図２は、斯かる画像表示装置１０に備えられた構成を説明するブロック線図である。これらの図に示すように、本実施例の画像表示装置１０は、所定の画像（映像）を表示させると共に、利用者の接触操作に応じて入力を行うためのタッチパネルディスプレイ１２を備えている。また、図２に示すように、上記画像表示装置１０による画像表示制御をはじめとする各種制御を実行する制御部１４と、複数の画像情報（画像ファイル）を記憶するフラッシュメモリ等の記憶部１６と、上記画像表示装置１０とプリンタ３８等の外部機器との間で情報の送受信を行うための通信インターフェイス１８とを、備えて構成されている。
【００１６】
図２に示すように、上記タッチパネルディスプレイ１２は、そのタッチパネルディスプレイ１２に所定の映像を表示させるディスプレイとしての表示装置２２と、利用者の指や備え付けのペン２０等による上記タッチパネルディスプレイ１２への接触により入力を行うタッチパネル２４とを、備えて構成されている。また、上記画像表示装置１２には、上記表示装置２２による画像（映像）の表示制御を行う表示制御部２６と、上記タッチパネル２４により入力される入力情報を処理する入力制御部２８とが備えられており、それら表示制御部２６及び入力制御部２８により上記表示装置２２及びタッチパネル２４を介して上記タッチパネルディスプレイ１２による画像表示制御乃至情報入力制御が実行される。
【００１７】
また、図２に示すように、前記制御部１４は、中央演算処理装置であるＣＰＵ３０と、読出専用メモリであるＲＯＭ３２と、随時書込読出メモリであるＲＡＭ３４とを、備えて構成されている。すなわち、前記制御部１４は、上記ＲＡＭ３４の一時記憶機能を利用しつつ上記ＲＯＭ３２に記憶された情報に基づいて上記ＣＰＵ３０により種々の情報処理を実行する所謂マイクロコンピュータであり、上記表示制御部２６を介して前記タッチパネルディスプレイ１２（表示装置２２）に所定の画像を表示させる画像表示制御、そのタッチパネルディスプレイ１２（タッチパネル２４）への接触操作に応じて上記入力制御部２８を介して入力される入力信号を処理する入力処理制御、及び前記通信インターフェイス１８を介して他の機器との間で情報の送受信を行う情報通信制御等、本実施例の画像表示装置１０に関する各種制御を実行する。
【００１８】
前記記憶部１６には、前記表示制御部２６を介して前記タッチパネルディスプレイ１２（表示装置２２）に所定の画像を表示させるための画像情報として、例えばＪＰＥＧ（Joint Photographic Experts Group）、ＰＮＧ（Portable network graphics）、ＧＩＦ（Graphics interchange format）等のファイル形式の画像データ（画像ファイル）が、それぞれの識別情報をインデックスとして記憶されている。なお、前記表示装置２２は、静止画像のみならず動画を表示させるものであってもよく、前記記憶部１６に記憶される画像情報は、静止画に対応するものであると動画に対応するものであるとを問わない。
【００１９】
前記通信インターフェイス１８は、例えば前記画像表示装置１０を無線により或いは有線接続にてＬＡＮ３６に接続するＬＡＮインターフェイスである。前記画像表示装置１０は、この通信インターフェイス１８によりＬＡＮ３６に接続されることで、そのＬＡＮ３６を介して例えばプリンタ３８等の外部機器との間で情報の通信が可能とされる。このプリンタ３８は、例えば、前記画像表示装置１０等から出力される印刷対象となる画像を所定の用紙（例えば、写真用印画紙）に印刷するよく知られたインクジェットプリンタやレーザプリンタ等の印刷装置である。また、上記ＬＡＮ３６が図示しないルータ等を介して公衆電話回線、ＡＤＳＬ回線、或いは光ファイバ回線等から構成されるＷＷＷ（World Wide Web）すなわちインターネットに接続可能とされ、前記画像表示装置１０とインターネットに接続された他の機器との間での通信が可能とされたものであってもよい。
【００２０】
図３は、前記制御部１４に備えられた制御機能の要部を説明する機能ブロック線図である。この図３に示すスライドショー表示制御手段４０は、複数の画像を所定の時間間隔で前記タッチパネルディスプレイ１２（表示装置２２）に断続的に切替表示させるスライドショー表示制御を実行する。図４は、このスライドショー表示制御手段４０によるスライドショー表示制御において、前記表示装置２２に複数の画像が断続的に切替表示される様子を説明する図である。この図４に示すように、上記スライドショー表示制御手段４０は、前記タッチパネル２４等を介して所定のスライドショー表示制御開始操作が行われた場合、前記記憶部１６に記憶された複数の画像情報を予めその記憶部１６等に記憶された図２２に示すようなスライドショーリストに従って所定の順番で読み出し、各画像情報に対応する画像を前記表示装置２２に所定時間表示させると共に、その所定時間が経過した段階で次の表示順の画像情報に対応する画像を前記表示装置２２に所定時間表示させるというように、予め定められた複数の画像を所定の順番で前記表示装置２２に順次１枚ずつ表示させる。また、好適には、各スライドショー表示制御に関して複数の画像が一通り表示され終えた場合には、そのスライドショー表示制御に係る複数の画像をまた先頭から断続的に切替表示させるスライドショー表示制御を繰り返す。なお、各スライドショー表示制御において、前記表示装置２２に複数の画像が同時に表示される場合も考えられる。
【００２１】
例えば、図４に示す例では、先ず、時点ｔ０からｔ１までの間、駅から電車が発進する風景を撮影した画像５２ａが前記表示装置２２に表示される。次に、時点ｔ１に達した段階で画像の切替制御が開始され、時点ｔ２からｔ３までの間、一戸建ての家を撮影した画像５２ｂが前記表示装置２２に表示される。次に、時点ｔ３に達した段階で画像の切替制御が開始され、時点ｔ４からｔ５までの間、高層ビルを撮影した画像５２ｃが前記表示装置２２に表示される。次に、時点ｔ５に達した段階で画像の切替制御が開始され、時点ｔ６からｔ７までの間、上記駅から電車が発進する風景を撮影した画像５２ａが再び前記表示装置２２に表示される。このように、本実施例のスライドショー表示制御では、複数の画像が予め定められた順番に所定の時間間隔で前記タッチパネルディスプレイ１２（表示装置２２）に断続的に切替表示される。なお、図４に示す例における各画像の表示時間すなわち上記画像５２ａの表示時間である時点ｔ０からｔ１の時間間隔、上記画像５２ｂの表示時間である時点ｔ２からｔ３の時間間隔、上記画像５２ｃの表示時間である時点ｔ４からｔ５の時間間隔、及び上記画像５２ａの表示時間である時点ｔ６からｔ７の時間間隔は、好適には、初期設定において何れも等しい時間間隔である。すなわち、前記複数の画像５２ａ〜５２ｃ（以下、特に区別しない場合には単に画像５２という）は等時間隔で前記表示装置２２に切替表示されるものであるが、例えば前記タッチパネル２４により所定の操作が行われること等によりその表示時間が変更（延長乃至短縮）可能とされたものであってもよい。
【００２２】
また、図４に示すように、前記スライドショー表示制御手段４０により前記表示装置２２に切替表示される画像５２には、その画像５２を前記プリンタ３８による印刷対象として選択するためのプリントボタン５４がその一部（図４に示す例では右下端）に付随的に表示される。このプリントボタン５４は、好適には、前記表示装置２２に表示される画像５２の前面側レイヤに表示されるテロップであり、スライドショー表示制御の表示モード（例えば、ボタン非表示モード）によっては非表示とされる。また、上記プリントボタン５４は、前記タッチパネル２４に対する前記ペン２０等の接触を検知することで初めて表示されるものであってもよい。
【００２３】
図３に示す選択手段４２は、前記スライドショー表示制御手段４０によるスライドショー表示制御の実行中に前記タッチパネル２４等により所定の操作が行われた場合、前記表示装置２２に表示される画像５２を前記プリンタ３８による印刷対象として選択する。例えば、前記表示装置２２に前記スライドショー表示制御に係る所定の画像５２が表示されている状態において、その画像５２に付随して表示されている上記プリントボタン５４が前記タッチパネル２４を介した操作により押された場合（タッチパネル２４におけるプリントボタン５４に対応する位置への接触操作が行われた場合）、その画像５２を前記プリンタ３８による印刷対象として選択する。
【００２４】
図３に示す出力手段４４は、上記選択手段４２により印刷対象として選択された画像５２に関する情報を前記プリンタ３８へ出力する。例えば、前記プリンタ３８により対象となる画像５２を印刷するために必要な情報として、そのプリンタ３８に対する印刷指令及び印刷に係る画像５２に対応する画像情報（画像ファイル）に加え、印刷用紙のサイズ、印刷枚数、上下左右の余白、及び日付の印字有無等の印刷設定を印刷データ作成手段４５により作成し、前記通信インターフェイス１８から前記ＬＡＮ３６を介して前記プリンタ３８へ出力（送信）する。また、上記出力手段４４は、好適には、前記プリンタ３８による画像５２の印刷に関して、その印刷を開始（実行）する指示である印刷開始指示、その印刷を中止する指示である印刷中止指示、及び印刷待ち状態にある画像５２の印刷をキャンセルする指示である印刷キャンセル指示等の情報を前記タッチパネル２４による操作に応じて前記プリンタ３８へ出力する。このようにして出力された各画像５２の前記プリンタ３８による印刷設定は、好適には、後述する図１９に示すような表示リストの１項目として前記記憶部１６等に記憶されと共に、新たな出力が行われる毎に更新される。なお、上記印刷設定は、前記プリントボタン５４押下検出後に実行されるものであってもよいし、スライドショー表示前に予め設定されたデフォルト設定を使用するものであってもよい。
【００２５】
図３に示す印刷検知手段４６は、上記出力手段４４により印刷対象として出力された画像５２の前記プリンタ３８による印刷状況を検知する。例えば、上記出力手段４４により所定の画像５２の印刷指令及び上述したその画像５２に関する情報が前記プリンタ３８へ送信された後、そのプリンタ３８による対象となる画像５２の印刷状況として、その時点において印刷を行っている状況に相当する「印刷中」、他の画像を印刷している場合等において印刷を控えている状況に相当する「印刷待ち」、既に印刷が完了した状況に相当する「印刷済み」、又は印刷がキャンセルされた状況に相当する「キャンセル」等の状況を各画像５２毎に検知する。このようにして検知された各画像５２の前記プリンタ３８による印刷状況は、図１４又は図１９に示すような表示リストの１項目として前記記憶部１６等に記憶されると共に、新たな検知が行われる毎に更新される。なお、斯かる表示リストは、印刷出力が行われていない場合はスライドショー１巡分の情報を持つ一方、印刷出力が行われている場合はスライドショー１巡分の表示時間と印刷完了予測時間とを比較し、長い方の時間分のリストを持つものであることが好ましい。
【００２６】
図３に示すプレビュー画像作成手段４８は、前記選択手段４２により前記プリンタ３８による印刷対象として選択された画像５２に係る、そのプリンタ３８による印刷に関するプレビュー画像（印刷プレビュー）を作成する。すなわち、前記選択手段４２により選択された画像５２に対応して前記出力手段４４により前記プリンタ３８へ出力された画像情報（画像ファイル）及び印刷設定等の情報に基づいて、その画像５２が前記プリンタ３８により実際に印刷された場合のイメージ画像（印刷予想画像）を上記プレビュー画像として作成する。なお、好適には、上記プレビュー画像作成手段４８により作成されたプレビュー画像は、対象となる画像５２の前記プリンタ３８による印刷が完了した後或いはその画像５２の印刷がキャンセルされた後に削除される。
【００２７】
図５は、上記プレビュー画像作成手段４８により図４に示す画像５２ａに対応して作成されるプレビュー画像５６ａ（以下、特に他の画像５２に対応するプレビュー画像と区別しない場合には単にプレビュー画像５６という）の一例を示す図である。この図５に示すように、上記プレビュー画像作成手段４８によるプレビュー画像５６ａの作成においては、対象となる画像５２ａ（画像情報）に加工が施されることによりプレビュー画像５６ａとされる。例えば、対象となる画像情報に関して、印刷用紙のサイズ（縦横比）に応じて上下乃至左右の余白を設定したり、印刷設定に応じて画像情報の解像度を変更したり、対象となる画像５２ａ（画像情報）が撮影された日時を入れる等の加工を施すことで上記プレビュー画像５６ａを作成する。また、好適には、前記プリンタ３８の状態として、そのプリンタ３８のスペックすなわち型式、インクジェットやカラーレーザー等の印刷形式、カラー印刷／モノクロ印刷、カラープロファイル（色域）、両面印刷の可否、印刷可能な最大解像度、印刷速度、及び最大給紙枚数等の性能に対応する情報を前記ＬＡＮ３６を介して取得する。また、前記スライドショー表示制御において、前記表示装置２２に複数の画像５２ａが同時に表示されている場合には、各々の画像５２を印刷対象としてプレビュー画像５６を作成する場合と、それら複数の画像５２に対応して１枚のプレビュー画像５６（複数の画像５２の印刷プレビューを含むもの）とする場合が考えられる。
【００２８】
図３に示す状態取得手段５０は、前記プリンタ３８の状態に関する情報を取得する。好適には、前記プリンタ３８の状態として、エラーにより印刷を実行できず対策も為されていない状態に相当する「エラー未」、エラーの対策が済んだ状態に相当する「エラー済」、エラーから復帰した状態に相当する「エラー復帰」、又はエラーがない正常作動状態に相当する「なし」等の状態を前記ＬＡＮ３６を介して取得する。ここで、上記状態取得手段５０は、好適には、前記プリンタ３８全体の状態としてのエラー状態とは別に、前記プリンタ３８へ出力された各画像５２に対応するエラー状態を前記ＬＡＮ３６を介して取得する。このようにして取得された前記プリンタ３８の状態に関する情報は、図１４又は図１９に示すような表示リストの各項目として前記記憶部１６等に記憶されと共に、新たな情報の取得が行われる毎に更新される。なお、上記状態取得手段５０により前記プリンタ３８の状態に関する情報が取得できない場合には、予め定められたデフォルト情報に基づいて前記プレビュー画像５６の作成が行われる。
【００２９】
前記プレビュー画像作成手段４８によりプレビュー画像５６ａが作成された場合、前記スライドショー表示制御手段４０は、前記スライドショー表示制御において切替表示される前記複数の画像５２に前記プレビュー画像作成手段４８により作成されたプレビュー画像５６を追加する。好適には、前記スライドショー表示制御において切替表示される複数の画像を定める図１４又は図１９に示すような表示リストに前記プレビュー画像作成手段４８により作成されたプレビュー画像５６を挿入（追加）する。また、好適には、図１４又は図１９に示すような表示リストに定められた複数の画像５２のうち、前記プレビュー画像作成手段４８により作成されたプレビュー画像５６に対応する画像５２をそのプレビュー画像５６に置換（入れ替え）する。
【００３０】
また、図５乃至後述する図６に示すように、前記スライドショー表示制御手段４０により前記表示装置２２に切替表示されるプレビュー画像５６には、そのプレビュー画像５６に対応する画像５２の前記プリンタ３８による印刷をキャンセルするためのキャンセルボタン５８がその一部（図５に示す例では右下端）に付随的に表示される。このキャンセルボタン５８は、好適には、前記表示装置２２に表示されるプレビュー画像５６の前面側レイヤに表示されるテロップであり、スライドショー表示制御の表示モード（例えば、ボタン非表示モード）によっては非表示とされる。また、上記キャンセルボタン５８は、前記タッチパネル２４に対する前記ペン２０等の接触を検知することで初めて表示されるものであってもよい。
【００３１】
また、前記スライドショー表示制御手段４０は、前記印刷検知手段４６により検知される印刷状況に応じて前記スライドショー表示制御における前記プレビュー画像５６の表示態様を変更する。また、好適には、前記状態取得手段５０により取得される前記プリンタ３８の状態に応じて前記スライドショー表示制御における前記プレビュー画像５６の表示態様を変更する。また、好適には、前記プレビュー画像作成手段４８により前記プレビュー画像５６が作成された時点における前記スライドショー表示状況に応じてそのスライドショー表示制御における前記プレビュー画像５６の表示態様を変更する。
【００３２】
図１４及び図１９は、前記スライドショー表示制御手段４０によるスライドショー表示制御に用いられる表示リストの要部を例示するものであり、図１４は各画像の印刷設定を記憶しない態様を、図１９は各画像の印刷設定を記憶する態様をそれぞれ示している。本実施例の制御においては、前記プレビュー画像５６を交えない本来のスライドショー表示制御に用いられる表示リストを基礎として、前記プレビュー画像作成手段４８により作成されたプレビュー画像５６をそのスライドショーに組み込む（スライドショーにおける表示順を決定する）ための情報テーブルとして図１４又は図１９に示すような表示リストが作成される。すなわち、スライドショーにおいて切替表示される各画像５２又はプレビュー画像５６に対応して、前記印刷検知手段４６により検知される印刷状況、前記プリンタ３８による印刷順、表示処理の未／済、前記状態取得手段５０により取得されるエラー状態、及び前記表示装置２２に表示中であるか否かの情報が記憶される。また、図１９に示す表示リストでは、それらに加えて対象となる画像５２（プレビュー画像５６）の印刷設定が記憶される。前記スライドショー表示制御手段４０は、斯かる図１４又は図１９に示すような表示リストに基づいて、前記プレビュー画像５６を含む複数の画像５２の切替表示制御を実行する。以下、このスライドショー表示制御手段４０によるプレビュー画像５６を追加したスライドショー表示制御の具体的な一例を図６及び図７等を参照して説明する。
【００３３】
図６は、前記スライドショー表示制御手段４０によるスライドショー表示制御において、前記表示装置２２にプレビュー画像５６を含む複数の画像５２が断続的に切替表示される様子を説明する図である。また、図７は、前記スライドショー表示制御手段４０によるスライドショー表示制御において、本端末すなわち前記画像表示装置１０の制御部１４、ディスプレイすなわち前記表示装置２２、及び前記プリンタ３８それぞれの作動が連動する様子を説明する図であり、図６のスライドショー表示制御に対応するものである。この図６に示すスライドショー表示制御は、基本的には図４を用いて前述したように、図２２に示すスライドショーリストに基づいて前記画像５２ａ〜５２ｃが所定の時間間隔で断続的に前記表示装置２２に切替表示されるスライドショーにおいて、所定の印刷実行操作が行われた場合におけるプレビュー画像５６の追加表示制御を例示している。
【００３４】
図６及び図７に示す制御では、先ず、前記制御部１４の表示制御タスク（スライドショー表示制御手段４０）から前記表示装置２２に前記画像５２ａの表示が指示され、時点ｔ０からｔ１までの間、前記画像５２ａが前記表示装置２２に表示される。ここで、図６に示すように前記画像５２ａが前記表示装置２２に表示されている時点ｔ０からｔ１までの間に、その画像５２ａに付随して表示されたプリントボタン５４が使用者（ユーザ）により前記ペン２０等を用いて押された場合、制御タスク（選択手段４２）によりその画像５２ａが印刷対象として選択される。また、同じく制御タスク（プレビュー画像作成手段４８）により前記画像５２ａの前記プリンタ３８による印刷に関するプレビュー画像５６ａが作成される。
【００３５】
次に、前記制御部１４の表示制御タスク（スライドショー表示制御手段４０）から前記表示装置２２に前記画像５２ｂの表示が指示され、時点ｔ２からｔ３までの間、前記画像５２ｂが前記表示装置２２に表示される。ここで、図６に示すように前記画像５２ｂが前記表示装置２２に表示されている時点ｔ２からｔ３までの間に、その画像５２ｂに付随して表示されたプリントボタン５４が使用者（ユーザ）により前記ペン２０等を用いて押された場合、制御タスク（選択手段４２）によりその画像５２ｂが印刷対象として選択される。また、同じく制御タスク（プレビュー画像作成手段４８）により前記画像５２ｂの前記プリンタ３８による印刷に関するプレビュー画像５６ｂが作成される。また、印刷対象として選択された前記画像５２ａに対応するプレビュー画像５６ａが作成された時点で、表示制御タスクに対してそのプレビュー画像５６ａの割込が指示される。
【００３６】
次に、前記制御部１４の表示制御タスク（スライドショー表示制御手段４０）から前記表示装置２２に前記プレビュー画像５６ａの表示が指示され、時点ｔ４からｔ５までの間、前記プレビュー画像５６ａが前記表示装置２２に表示される。また、印刷対象として選択された前記画像５２ｂに対応するプレビュー画像５６ｂが作成された時点で、表示制御タスクに対してそのプレビュー画像５６ｂの割込が指示される。以降、複数印刷に対応するため、印刷指定、印刷開始、印刷完了毎に図１４又は図１９に示す表示リストの更新が行われる。
【００３７】
次に、前記制御部１４の表示制御タスク（スライドショー表示制御手段４０）から前記表示装置２２に前記プレビュー画像５６ｂの表示が指示され、時点ｔ６からｔ７までの間、前記プレビュー画像５６ｂが前記表示装置２２に表示される。また、時点ｔ５において前記画像５２ａに対応するプレビュー画像５６ａの表示が少なくとも１回完了したことをもって、制御タスク（出力手段４４）から前記プリンタ３８に対してそのプレビュー画像５６ａに対応する画像５２ａの印刷を開始するための印刷開始指示が出力される。このように、印刷が開始される前にその印刷に係る画像５２ａに対応するプレビュー画像５６ａが少なくとも１回表示される制御が行われるのは、プレビュー画像５６ａを見た上で使用者に印刷をキャンセルするか否かの確認を可能とするためである。なお、図７に示す制御においては、印刷対象として選択された画像５２に対応するプレビュー画像５６に関してスライドショーにおける表示が少なくとも１回完了した時点でその印刷を開始する態様について説明しているが、前記プリントボタン５４が押される等の印刷実行操作が行われるのと同時に前記プリンタ３８へ印刷開始を指示する態様も考えられる。また、前記プリンタ３８による印刷の実行中には、その印刷が行われている画像５２に対応するプレビュー画像５６が頻繁に確認できるように所定の頻度で（例えば、スライドショーにおいて２枚に１枚の頻度で）前記表示装置２２に表示されるように制御するものであってもよい。
【００３８】
次に、前記制御部１４の表示制御タスク（スライドショー表示制御手段４０）から前記表示装置２２に前記画像５２ｃの表示が指示され、時点ｔ８からｔ９までの間、前記画像５２ｃが前記表示装置２２に表示される。この画像５２ｃの表示は本来のスライドショー表示制御に対応するものであり、時点ｔ０からｔ１までの前記画像５２ａの表示、時点ｔ２からｔ３までの前記画像５２ｂの表示に続くものである。すなわち、図６及び図７に示す制御においては、時点ｔ２からｔ３までの画像５２ｂの表示と、時点ｔ８からｔ９までの画像５２ｃの表示との間に、時点ｔ４からｔ５までのプレビュー画像５６ａの表示及び時点ｔ６からｔ７までのプレビュー画像５６ｂの表示が挿入（割込）されている。ここで、制御タスク（印刷検知手段４６及び状態取得手段）により前記プリンタ３８による前記画像５２ａの印刷状況の検知及びそのプリンタ３８の状態の取得が行われ、時点ｔ１０からｔ１１までの間にその画像５２ａの印刷が終わり、次の印刷順である前記画像５２ｂの印刷が開始できる状態となることが検出される。この場合、制御タスク（出力手段４４）により表示タスク（スライドショー表示制御手段４０）に対して、その時点において印刷が行われている画像５２ａの次に印刷される画像５２ｂに対応するプレビュー画像５６ｂが、その画像５２ｂの印刷直前に表示されるように指示が行われる。
【００３９】
次に、前記制御部１４の表示制御タスク（スライドショー表示制御手段４０）から前記表示装置２２に前記プレビュー画像５６ｂの表示が指示され、時点ｔ１０からｔ１１までの間、前記プレビュー画像５６ｂが前記表示装置２２に表示される。このように、次に印刷される画像５２ｂに対応するプレビュー画像５６ｂが、その画像５２ｂの印刷直前に表示される制御が行われるのは、使用者に印刷をキャンセルするか否かの最終確認を可能とするためである。また、前記プリンタ３８による前記画像５２ａの印刷が完了した時点で制御タスク（印刷検知手段４６）によりその画像５２ａの印刷完了が検知される。
【００４０】
次に、前記制御部１４の表示制御タスク（スライドショー表示制御手段４０）から前記表示装置２２に前記画像５２ａの表示が指示され、時点ｔ１２からｔ１３までの間、前記画像５２ａが前記表示装置２２に表示される。また、時点ｔ１１において前記画像５２ｂに対応するプレビュー画像５６ｂが表示され、使用者による確認が行われたことをもって、制御タスク（出力手段４４）から前記プリンタ３８に対してそのプレビュー画像５６ｂに対応する画像５２ｂの印刷を開始するための印刷開始指示が出力される。また、制御タスクから表示制御タスク（スライドショー表示制御手段４０）に対して、印刷が完了した前記画像５２ａに対応するプレビュー画像５６ａを表示させる指示が行われる。
【００４１】
次に、前記制御部１４の表示制御タスク（スライドショー表示制御手段４０）から前記表示装置２２に前記プレビュー画像５６ａの表示が指示され、時点ｔ１４からｔ１５までの間、前記プレビュー画像５６ａが前記表示装置２２に表示される。また、斯かる印刷完了後の確認のための表示が終わった時点ｔ１５において、前記プレビュー画像５６ａは削除される。以下、前記画像５２ａ〜５２ｂが所定時間毎に切替表示されるスライドショーに基づく上述のような制御が継続的に実行される。
【００４２】
図８は、前記スライドショー表示制御手段４０によるスライドショー表示制御において、前記表示装置２２にプレビュー画像５６を含む複数の画像５２が断続的に切替表示される他の一例を説明する図である。前述した図６及び図７に示す制御では、印刷対象として選択された画像５２に対応してプレビュー画像５６が作成された場合、そのプレビュー画像５６がスライドショーにおいて切替表示される画像の１枚として挿入（追加）されることで、そのプレビュー画像５６に対応する画像５２の表示も継続されるものであったが、図８に示す制御では、印刷対象として選択された画像５２に対応してプレビュー画像５６が作成された場合、スライドショーにおいて切替表示される画像５２がそのプレビュー画像５６に置換される（差し替えられる）ことで、そのプレビュー画像５６に対応する画像５２ａの表示は行われなくなる。
【００４３】
すなわち、図８に示す制御では、先ず、時点ｔ０からｔ１までの間、前記画像５２ａが前記表示装置２２に表示される。ここで、前記画像５２ａが前記表示装置２２に表示されている時点ｔ０からｔ１までの間に、その画像５２ａに付随して表示されたプリントボタン５４が使用者（ユーザ）により前記ペン２０等を用いて押された場合、前記選択手段４２によりその画像５２ａが印刷対象として選択され、前記プレビュー画像作成手段４８により前記画像５２ａの前記プリンタ３８による印刷に関するプレビュー画像５６ａが作成される。そして、以降のスライドショー表示制御においては、作成されたプレビュー画像５６ａの元となった画像５２ａは表示されず、本来ならその画像５２ａの表示順であるタイミングでプレビュー画像５６ａが表示される制御が行われる。
【００４４】
図９は、前記画像表示装置１０のＣＰＵ３０による制御タスクの要部を説明するフローチャートであり、所定の周期で繰り返し実行されるものである。
【００４５】
先ず、図１０又は図１８に示すプリント指示操作制御ＳＡの処理が実行される。次に、図１１に示すプリント状態操作制御ＳＢの処理が実行される。次に、ステップ（以下、ステップを省略する）Ｓ１において、印刷候補（印刷対象として選択された画像５２に対応する）プレビュー画像５６の表示完了が受信されたか否かが判断される。このＳ１の判断が否定される場合には、Ｓ４以下の処理が実行されるが、Ｓ１の判断が肯定される場合には、Ｓ２において、印刷対象として選択された画像５２に係る印刷開始指示が前記プリンタ３８に送信（出力）される。なお、前記プレビュー画像５６の表示状態を確認せず、印刷完了通知が受信された場合には前記プリンタ３８へ印刷開始指示が出力されるものであってもよい。すなわち、表示状態が確認されないまま前記プリンタ３８に印刷開始指示が出力されるものであってもよい。次に、Ｓ３において、Ｓ２にて出力された画像５２に関して図１４又は図１９に示す表示リストにおける処理状態が「印刷中」に変更された後、Ｓ４において、制御終了であるか否かが判断される。このＳ４の判断が否定される場合には、ＳＡ以下の処理が再び実行されるが、Ｓ４の判断が肯定される場合には、それをもって本ルーチンが終了させられる。
【００４６】
図１０は、図９に示す制御タスクにおけるプリント指示操作制御（プリント指示操作サブルーチン）の要部を説明するフローチャートである。
【００４７】
先ず、ＳＡ１において、前記表示装置２２に画像５２が表示されている状態において前記プリントボタン５４が押される等してその画像５２のプリント指示が検出されたか否かが判断される。このＳＡ１の判断が否定される場合には、ＳＡ８以下の処理が実行されるが、ＳＡ１の判断が肯定される場合には、ＳＡ２において、前記プリンタ３８に係るプリンタ情報すなわちそのプリンタ３８の性能に関する情報の取得に成功したか否かが判断される。このＳＡ２の判断が肯定される場合には、ＳＡ３において、取得されたプリンタ情報と印刷設定に基づいてプリントが指示された画像５２に対応するプレビュー画像５６が作成された後、ＳＡ５以下の処理が実行されるが、ＳＡ２の判断が否定される場合には、ＳＡ４において、印刷設定から前記プレビュー画像５６が作成された後、ＳＡ５において、印刷が指示された画像５２に関して図１４又は図１９に示す表示リストの処理状態が「印刷待ち」に変更され、その表示リストにおける印刷順が設定（印刷待ち画像として追加）される。次に、ＳＡ６において、表示リストの表示処理が未処理状態に変更される。次に、ＳＡ７において、印刷が指示された画像５２に対応する印刷データすなわち前記プリンタ３８による印刷に必要な情報が作成されると共に、斯かる情報がそのプリンタ３８へ出力された後、図９に示すメインルーチンへ復帰させられる。
【００４８】
ＳＡ８においては、前記表示装置２２にプレビュー画像５６が表示されている状態において前記キャンセルボタン５８が押される等してそのプレビュー画像５６に対応する画像５２のプリントキャンセル指示が検出されたか否かが判断される。このＳＡ８の判断が否定される場合には、それをもって図９に示すメインルーチンへ復帰させられるが、ＳＡ８の判断が肯定される場合には、ＳＡ９において、プリントキャンセルが指示された画像５２に関して図１４又は図１９に示す表示リストの処理状態が「キャンセル」に変更され、その表示リストにおける印刷順が変更される。次に、ＳＡ１０において、プリントキャンセルが指示された画像５２に関して前記プリンタ３８による印刷が既に実行中であるか否かが判断される。このＳＡ１０の判断が否定される場合には、それをもって図９に示すメインルーチンへ復帰させられるが、ＳＡ１０の判断が肯定される場合には、ＳＡ１１において、前記プリンタ３８に対してプリントキャンセルが指示された画像５２に係るキャンセルコマンド（印刷中止指示）が送信された後、図９に示すメインルーチンへ復帰させられる。
【００４９】
図１１は、図９に示す制御タスクにおけるプリント状態操作制御（プリント状態操作サブルーチン）の要部を説明するフローチャートである。
【００５０】
先ず、ＳＢ１において、前記プリンタ３８から所定の画像５２に係る印刷完了通知が受信されたか否かが判断される。このＳＢ１の判断が否定される場合には、ＳＢ４以下の処理が実行されるが、ＳＢ１の判断が肯定される場合には、ＳＢ２において、印刷完了が通知された画像５２に関して図１４又は図１９に示す表示リストの処理状態が「印刷完了」に変更され、その表示リストにおける印刷順が変更される。次に、ＳＢ３において、表示リストの表示処理が未処理状態に変更された後、図９に示すメインルーチンへ復帰させられる。ＳＢ４においては、前記プリンタ３８から所定の画像５２に係るエラー通知が受信されたか否かが判断される。このＳＢ４の判断が否定される場合には、ＳＢ６以下の処理が実行されるが、ＳＢ４の判断が肯定される場合には、ＳＢ５において、エラーが通知された画像５２に関して図１４又は図１９に示す表示リストのエラー状態が「エラー未」に変更された後、ＳＢ３以下の処理が実行される。ＳＢ６においては、前記プリンタ３８から所定の画像５２に係るエラーからの復帰が検出されたか否かが判断される。このＳＢ６の判断が否定される場合には、それをもって図９に示すメインルーチンへ復帰させられるが、ＳＢ６の判断が肯定される場合には、ＳＢ７において、エラー復帰が検出された画像５２に関して図１４又は図１９に示す表示リストのエラー状態が「エラー復帰（又はエラーなし）」に変更された後、ＳＢ３以下の処理が実行される。
【００５１】
図１２は、図９に示す制御タスクと併行して実行される、前記画像表示装置１０のＣＰＵ３０による表示制御タスクの要部を説明するフローチャートであり、所定の周期で繰り返し実行されるものである。
【００５２】
先ず、Ｓ５において、図１４又は図１９に示す表示リストにおいて未処理すなわち表示処理が「未」である画像が検出されたか否かが判断される。このＳ５の判断が否定される場合には、Ｓ１１以下の処理が実行されるが、Ｓ５の判断が肯定される場合には、Ｓ６において、印刷実行状態であるか否か、すなわち印刷状況が「印刷中」であるか否かが判断される。このＳ６の判断が否定される場合すなわち印刷状況が「印刷待ち」又は「印刷済み」である場合には、Ｓ１３以下の処理が実行されるが、Ｓ６の判断が肯定される場合には、Ｓ７において、前記プリンタ３８のスペックや印刷中の画像５２の印刷設定等に基づいて、その時点において前記プリンタ３８により実行中（印刷中）である印刷の完了時間が推定される。次に、Ｓ８において、その時点において前記プリンタ３８により印刷されている画像５２に対応するプレビュー画像５６が所定の割合で表示されるように図１４又は図１９に示す表示リストの表示順にそのプレビュー画像５６が組み込まれる。次に、Ｓ９において、図１５に示すように、次の印刷対象（印刷順）である画像５２に対応するプレビュー画像５６が、その時点において前記プリンタ３８により印刷されている画像５２の印刷完了直前に前記表示装置２２に表示されるように、Ｓ７にて推定された印刷の完了時間に基づいて図１４又は図１９に示す表示リストが更新される。次に、図１３に示す画像切替処理ＳＣが実行された後、Ｓ１０において、制御終了であるか否かが判断される。このＳ１０の判断が否定される場合には、Ｓ５以下の処理が再び実行されるが、Ｓ１０の判断が肯定される場合には、それをもって本ルーチンが終了させられる。ここで、Ｓ８及びＳ９に係る表示リストの変更に関して、入れ替えにより同じ画像（例えば、元の画像５２及びその画像５２に対応するプレビュー画像５６）が連続する場合には、入れ替えを非実行とするものであってもよい。
【００５３】
Ｓ１１においては、図１４又は図１９に示す表示リストにおいて未処理であるエラー状態が検出されたか否か、すなわちエラー状態が「エラー未」である画像が検出されたか否かが判断される。このＳ１１の判断が否定される場合には、Ｓ１４以下の処理が実行されるが、Ｓ１１の判断が肯定される場合には、Ｓ１２において、その時点において前記表示装置２２に表示されている画像５２以外のプレビュー画像５６（所定の画像５２に対応してエラーが存在する場合にはその画像５２に対応するプレビュー画像５６のみ）が図１６に示すようなエラー画像６０に差し替えられる。次に、Ｓ１３において、メモリすなわち前記ＲＡＭ３４等に展開されている画像情報が確認され、その確認結果に基づいて図１４又は図１９に示す表示リストが更新された後、ＳＣ以下の処理が実行される。すなわち、Ｓ１３においては、前記ＲＡＭ３４等のメモリの前読み機能（表示装置２２に画像５２等が表示されるのに先立ってその画像５２に対応する画像情報がメモリに展開される機能）を利用して前記プレビュー画像５６の表示順が決定される。また、その時点において前記表示装置２２に表示されている画像５２（又はプレビュー画像５６）の残り表示時間と、前記ＲＡＭ３４等のメモリに表示対象となる画像情報を展開するのに必要な時間とを比較し、その比較結果に応じて図１４又は図１９に示す表示リストを更新するものであってもよく、画像切替の直前等において次の表示順に間に合わない場合には更にその次の表示順として表示させる等の制御を行うものであってもよい。
【００５４】
また、Ｓ１４においては、エラー状態からの復帰が検出されたか否かが判断される。このＳ１４の判断が否定される場合には、ＳＣ以下の処理が実行されるが、Ｓ１４の判断が肯定される場合には、Ｓ１５において、その時点において前記表示装置２２に表示されている画像５２以外の印刷対象画像（印刷待ち画像）５２（所定の画像５２に対応して存在したエラーから復帰した場合にはその画像５２のみ）に対応するエラー画像６０が前記プレビュー画像５６に変更された後、Ｓ１３以下の処理が実行される。なお、Ｓ１５の処理に相前後して、エラーから復帰して印刷を再開する旨の画像を前記表示装置２２に表示させる処理を行うものであってもよい。
【００５５】
なお、上記Ｓ１２の処理に関連して参照した図１６に示すエラー画像６０は、前述した図５に示すプレビュー画像５６ａに対応するものであり、そのプレビュー画像５６ａに「ＥＲＲＯＲ」の文字のエフェクトがかけられたものであるが、例えばエラー状態においては画面を１面グレー表示としてプレビュー画像５６を視認不可能とする態様も考えられる。また、前記プリンタ３８全体のエラー状態と、各画像５２に対応するエラー状態とでそれぞれ異なるエラー画像を表示させてもよく、その態様としては種々のものが考えられる。
【００５６】
図１３は、図１２に示す表示制御タスクにおける画像切替処理（画像切替サブルーチン）の要部を説明するフローチャートである。
【００５７】
先ず、ＳＣ１において、その時点において表示されている画像５２又はプレビュー画像５６の表示開始から所定時間が経過する等して、前記表示装置２２に表示される画像の切替が検出されたか否かが判断される。このＳＣ１の判断が否定される場合には、それをもって図１２に示すメインルーチンへ復帰させられるが、ＳＣ１の判断が肯定される場合には、ＳＣ２において、前記表示装置２２に表示されている画像の切替が実行される。ここで、図１４又は図１９に示す表示リストにおける印刷状況（「印刷済み」、「印刷待ち」、「印刷中」、乃至「キャンセル」）に応じて、それぞれ異なる切替エフェクト（その時点において表示されている画像から次の画像が表示されるまでの繋ぎの映像効果）が表示されるものであってもよい。次に、ＳＣ３において、ＳＣ２の切替前に前記表示装置２２に表示されていた画像５２又はプレビュー画像５６に対応する画像５２の前記プリンタ３８による印刷が完了したか否かが判断される。このＳＣ３の判断が否定される場合には、ＳＣ６以下の処理が実行されるが、ＳＣ３の判断が肯定される場合には、ＳＣ４において、ＳＣ３にて印刷の完了が判定された画像５２に対応するプレビュー画像５６が削除される。次に、ＳＣ５において、ＳＣ４にて削除されたプレビュー画像５６に係る情報が図１４又は図１９に示す表示リストから削除された後、図１２に示すメインルーチンへ復帰させられる。
【００５８】
ＳＣ６においては、ＳＣ２の切替前に前記表示装置２２に表示されていた画像５２又はプレビュー画像５６に対応する画像５２に係る、図１４又は図１９に示す表示リストの印刷状況が「キャンセル」であるか否かが判断される。このＳＣ６の判断が肯定される場合には、ＳＣ４以下の処理が実行されるが、ＳＣ６の判断が否定される場合には、ＳＣ７において、ＳＣ２の切替前に前記表示装置２２に表示されていた画像５２又はプレビュー画像５６に対応する画像５２に係る、図１４又は図１９に示す表示リストのエラー状態が「エラー未」であるか否かが判断される。このＳＣ７の判断が肯定される場合には、ＳＣ８において、ＳＣ２の切替前に前記表示装置２２に表示されていた画像５２又はプレビュー画像５６が前述した図１６に示すようなエラー画像６０に差し替えられた後、図１２に示すメインルーチンへ復帰させられるが、ＳＣ７の判断が否定される場合には、ＳＣ９において、前記プリンタ３８のエラー状態からの復帰が検出されたか否かが判断される。このＳＣ９の判断が否定される場合には、それをもって図１２に示すメインルーチンへ復帰させられるが、ＳＣ９の判断が肯定される場合には、ＳＣ１０において、差し替えられていたエラー画像６０が元のプレビュー画像５６に変更された後、図１２に示すメインルーチンへ復帰させられる。
【００５９】
続いて、本発明の他の好適な実施例を図面に基づいて詳細に説明する。なお、以下の説明において、実施例相互に共通する部分（フローチャートのステップ）については、同一の符号を付してその説明を省略する。
【００６０】
図１７は、図９に示す制御タスクと併行して実行される、前記画像表示装置１０のＣＰＵ３０による表示制御タスクの他の一例の要部を説明するフローチャートであり、所定の周期で繰り返し実行されるものである。すなわち、図１２を用いて前述した表示制御タスクの代替として実行されるものであり、前記スライドショー表示制御手段４０により実行されるスライドショーにおける画像の残り切替枚数（本来のスライドショーが１巡するまでに表示されるべき残り画像枚数）を考慮してプレビュー画像５６を含むスライドショーの切替制御を行う態様を説明するものである。
【００６１】
図１７に示す制御では、前述したＳ９に続くＳ１６において、実行中のスライドショーにおける残り表示枚数が予め定められた所定枚数以下であるか否かが判断される。このＳ１６の判断が否定される場合には、前述したＳＣ以下の処理が実行されるが、Ｓ１６の判断が肯定される場合には、Ｓ１７において、残りのプレビュー画像５６（スライドショーが１巡するまでに表示されるべきプレビュー画像５６）が、１つ前に表示されている画像５２又はプレビュー画像５６に対応する画像５２の印刷完了時に連続して表示されるように図１４又は図１９に示す表示リストが更新された後、前述したＳＣ以下の処理が実行される。また、前述したＳ６の判断が否定される場合、すなわち印刷実行状態ではないと判断される場合には、Ｓ１８において、印刷状況が「印刷待ち」であるか否かが判断される。このＳ１８の判断が否定される場合には、Ｓ１９において、その時点において前記表示装置２２に表示されている画像５２（又はプレビュー画像５６）の残り表示時間と、前記ＲＡＭ３４等のメモリに表示対象となる画像情報を展開するのに必要な時間とが比較され、その比較結果に応じて図１４又は図１９に示す表示リストが更新された後、前述したＳＣ以下の処理が実行されるが、Ｓ１８の判断が肯定される場合には、Ｓ２０において、実行中のスライドショーにおける残り表示枚数が予め定められた所定枚数以下であるか否かが判断される。このＳ２０の判断が否定される場合には、Ｓ１９以下の処理が実行されるが、Ｓ２０の判断が肯定される場合には、Ｓ２１において、次回のスライドショー（実行中のスライドショーが１巡した後に再度実行されるスライドショー）に、表示対象となるプレビュー画像５６が組み込まれるように図１４又は図１９に示す表示リストが更新された後、前述したＳＣ以下の処理が実行される。
【００６２】
図１８は、図９に示す制御タスクにおけるプリント指示操作制御（プリント指示操作サブルーチン）の他の一例の要部を説明するフローチャートである。すなわち、図１０を用いて前述したプリント指示操作制御の代替として実行されるものであり、印刷対象となる画像５２の印刷設定（プレビュー画像５６の表示形態）が変更された場合にのみ対応するプレビュー画像５６を表示させる態様を説明するものである。なお、この図１８に示す制御においては、図１９に示すように各画像５２（プレビュー画像５６）に対応して前記プリンタ３８による印刷設定（例えば用紙方向が縦に対応するａ又は用紙方向が横に対応するｂ）が記憶される表示リストが好適に用いられる。
【００６３】
図１８に示す制御では、前述したＳＡ１の判断が肯定される場合、すなわち前記表示装置２２に画像５２が表示されている状態において前記プリントボタン５４が押される等してその画像５２のプリント指示が検出された場合には、ＳＡ１２において、図１９に示す表示リストにプレビュー画像５６が存在するか否かが判断される。このＳＡ１２の判断が否定される場合には、前述したＳＡ２以下の処理が実行されるが、ＳＡ１２の判断が肯定される場合には、ＳＡ１３において、図１９に示す表示リストにおける各画像５２（プレビュー画像５６）に対応する印刷設定に変更があったか否かが判断される。このＳＡ１３の判断が肯定される場合には、前述したＳＡ２以下の処理が実行されるが、ＳＡ１３の判断が否定される場合には、前述したＳＡ７以下の処理が実行される。
【００６４】
図２０は、図１２に示す表示制御タスクにおける画像切替処理（画像切替サブルーチン）の他の一例の要部を説明するフローチャートである。すなわち、図１３を用いて前述した画像切替処理の代替として実行されるものであり、プレビュー画像５６とその元となる画像５２とを差し替えてスライドショー表示制御を行う態様を説明するものである。
【００６５】
図２０に示す制御においては、前述したＳＣ５に続くＳＣ１１において、ＳＣ４にて削除されたプレビュー画像５６に対応する画像５２に関する情報が図２１に示すような印刷リストから取得される。次に、ＳＣ１２において、図２２に示すようなスライドショーリストすなわち本来のスライドショーを実行するための情報に基づいて図１４又は図１９に示す表示リストが更新される。すなわち、ＳＣ４にて削除されたプレビュー画像５６が、そのプレビュー画像５６に対応する元の画像５２に差し替えられた後、図１２に示すメインルーチンへ復帰させられる。
【００６６】
以上の制御において、ＳＡ１が前記選択手段４２の動作乃至選択過程に、Ｓ５〜Ｓ２１、及びＳＣが前記スライドショー表示制御手段４０の動作に、ＳＡ７及びＳＡ１１が前記出力手段４４の動作乃至出力過程に、ＳＢ１及びＳＢ２が前記印刷検知手段４６の動作乃至印刷検知過程に、ＳＡ３及びＳＡ４が前記プレビュー画像作成手段４８の動作乃至プレビュー画像作成過程に、ＳＢ４〜ＳＢ７が前記状態取得手段５０の動作にそれぞれ対応する。
【００６７】
このように、本実施例によれば、前記スライドショー表示制御の実行中に、ディスプレイにとしての前記表示装置２２に表示される画像５２を印刷対象として選択する選択手段４２（ＳＡ１）と、その選択手段４２により選択された画像５２に関する情報をプリンタ３８へ出力する出力手段４４（ＳＡ７及びＳＡ１１）と、その出力手段４４により出力された画像５２の前記プリンタ３８による印刷状況を検知する印刷検知手段４６（ＳＢ１及びＳＢ２）と、前記選択手段４２により選択された画像５２の前記プリンタ３８による印刷に関するプレビュー画像５６を作成するプレビュー画像作成手段４８（ＳＡ３及びＳＡ４）とを、備え、前記スライドショー表示制御手段４０（Ｓ５〜Ｓ２１、及びＳＣ）は、前記スライドショー表示制御において切替表示される前記複数の画像５２に前記プレビュー画像作成手段４８により作成されたプレビュー画像５６を追加すると共に、前記印刷検知手段４６により検知される印刷状況に応じて前記スライドショー表示制御におけるそのプレビュー画像５６の表示態様を変更するものであることから、スライドショー表示制御中にダイレクトに印刷対象となる画像５２を選択できると共に、そのスライドショー表示制御を一旦停止することなくその画像５２に係る印刷プレビュー画像５６を確認することができ、印刷に係る画像と用紙サイズ、向きなどの不一致で大きさや位置、はみ出しなど、利用者が意図しない印刷を好適に抑制することができる。すなわち、スライドショー表示制御の実行中にそのスライドショーに含まれる画像５２の印刷を行うに際して、簡便に印刷イメージを確認しつつ印刷状態を得る画像表示装置１０を提供することができる。
【００６８】
また、前記スライドショー表示制御手段４０は、前記スライドショー表示制御において切替表示される前記複数の画像５２のうち前記プレビュー画像作成手段４８により作成されたプレビュー画像５６に対応する画像５２をそのプレビュー画像５６に置換すると共に、前記印刷検知手段４６により検知される印刷状況に応じて前記スライドショー表示制御におけるそのプレビュー画像５６の表示態様を変更するものであるため、スライドショー表示制御に係る画像５２の表示枚数を増加させることなく対象となる画像５２の印刷イメージを簡便に確認することができる。
【００６９】
また、前記プリンタ３８の状態を取得する状態取得手段５０（ＳＢ４〜ＳＢ７）を備え、前記スライドショー表示制御手段４０は、その状態取得手段５０により取得される前記プリンタ３８の状態に応じて前記スライドショー表示制御における前記プレビュー画像５６の表示態様を変更するものであるため、前記プリンタ３８による印刷状況やエラー状態等に応じて前記プレビュー画像５６のスライドショー表示制御における表示順や表示そのものを変化させることで、前記画像５２の印刷に関する情報をわかりやすく確認できる。
【００７０】
また、前記スライドショー表示制御手段４０は、前記プレビュー画像作成手段４８により前記プレビュー画像５６が作成された時点における前記スライドショーの表示状況に応じてそのスライドショー表示制御におけるそのプレビュー画像５６の表示態様を変更するものであるため、例えばスライドショーの残り画像枚数が比較的多い場合や残り時間が比較的長い場合等においてプレビュー画像５６の確認が遅れる等の弊害の発生を抑制することができる。
【００７１】
また、前記スライドショー表示制御手段４０は、前記プレビュー画像作成手段４８により前記プレビュー画像５６が作成された時点における前記スライドショーの残り画像枚数に応じてそのスライドショー表示制御におけるそのプレビュー画像５６の表示態様を変更するものであるため、スライドショーの残り画像枚数が比較的多い場合においてプレビュー画像５６の確認が遅れる等の弊害の発生を抑制することができる。
【００７２】
また、前記スライドショー表示制御手段４０は、対象となる画像５２の前記プリンタ３８による印刷が開始される前に少なくとも１回はその画像５２に対応するプレビュー画像５６が前記表示装置２２に表示されるようにスライドショー表示制御の表示順を入れ替えるものであるため、前記画像５２の印刷前にその画像５２の印刷イメージを確認できる。
【００７３】
また、前記スライドショー表示制御手段４０は、対象となる画像５２の前記プリンタ３８による印刷が開始される直前にその画像５２に対応するプレビュー画像５６が前記表示装置２２に表示されるようにスライドショー表示制御の表示順を入れ替えるものであるため、前記画像５２の印刷直前にその画像５２の印刷イメージを確認できる。
【００７４】
また、前記スライドショー表示制御手段４０は、前記ＲＡＭ３４に展開された画像情報に基づいて、各画像情報の残り表示時間（切り替わりまでの時間）とそのＲＡＭ３４への展開に必要な時間とを比較し、その比較結果に応じて前記スライドショー表示制御の表示順を入れ替えるものであるため、例えば印刷直前の画像５２に対応するプレビュー画像５６等を好適に前記表示装置２２に表示させることができる。
【００７５】
また、前記スライドショー表示制御手段４０は、その時点で前記プリンタ３８により印刷が行われている画像５２に対応するプレビュー画像５６を前記スライドショーにおいて所定の頻度で表示させるものであるため、印刷実行中である画像５２の印刷イメージを繰り返し確認することができる。
【００７６】
また、前記スライドショー表示制御手段４０は、元となるスライドショー表示制御における画像５２の表示枚数（切替表示に係る画像５２の枚数）に応じて、そのスライドショー表示制御において表示されるプレビュー画像５６の表示態様を変更するものであるため、元となるスライドショー全体の長さも考慮して各プレビュー画像５６を好適に表示させることができる。
【００７７】
また、前記スライドショー表示制御手段４０は、前記出力手段４４により対象となる画像５２の印刷設定の変更が前記プリンタ３８へ出力された場合にのみその画像５２に対応するプレビュー画像５６を表示させるものであるため、一度表示されたプレビュー画像５６が繰り返し表示されることを好適に抑制できる。
【００７８】
また、本実施例によれば、前記スライドショー表示制御の実行中に、前記表示装置２２に表示される画像５２を印刷対象として選択する選択過程（ＳＡ１）と、その選択過程において選択された画像５２に関する情報をプリンタ３８へ出力する出力過程（ＳＡ７及びＳＡ１１）と、その出力過程において出力された画像５２の前記プリンタ３８による印刷状況を検知する印刷検知過程（ＳＢ１及びＳＢ２）と、前記選択過程において選択された画像５２の前記プリンタ３８による印刷に関するプレビュー画像５６を作成するプレビュー画像作成過程（ＳＡ３及びＳＡ４）と、スライドショー表示制御において切替表示される前記複数の画像５２に前記プレビュー画像作成過程において作成されたプレビュー画像５６を追加すると共に、前記印刷検知過程において検知される印刷状況に応じて前記スライドショー表示制御におけるそのプレビュー画像５６の表示態様を変更するスライドショー表示制御過程（Ｓ５〜Ｓ２１、及びＳＣ）とを、含むことから、スライドショー表示制御中にダイレクトに印刷対象となる画像５２を選択できると共に、そのスライドショー表示制御を一旦停止することなくその画像５２に係る印刷プレビュー画像５６を確認することができる。すなわち、スライドショー表示制御の実行中にそのスライドショーに含まれる画像５２の印刷を行うに際して、簡便に印刷イメージを確認しつつ印刷状態を得る画像表示方法を提供することができる。
【００７９】
以上、本発明の好適な実施例を図面に基づいて詳細に説明したが、本発明はこれに限定されるものではなく、更に別の態様においても実施される。
【００８０】
例えば、前述の実施例において、前記スライドショー表示制御手段４０、選択手段４２、出力手段４４、印刷検知手段４６、プレビュー画像作成手段４８、及び状態取得手段５０は、何れも前記制御部１４に機能的に備えられたものであったが、その一部乃至全部が同等の機能を奏する個別の制御部として前記制御部１４とは別体に備えられたものであってもよい。また、前記画像表示装置１０においては、前記タッチパネルディスプレイ１２の表示制御乃至入力情報処理を行う表示制御部２６及び入力制御部２８が前記制御部１４とは別体の制御部として備えられたものであったが、これらはその一方乃至両方が前記制御部１４に機能的に備えられたものであってもよい。
【００８１】
また、前述の実施例において、前記画像表示装置１０とプリンタ３８とはそれぞれ別体の装置として構成されたものであり、その画像表示装置１０からＬＡＮ３６等を介して前記プリンタ３８へ印刷情報の出力等が行われるものであったが、例えば、本発明の画像表示装置にプリンタが内蔵されたものであってもよい。すなわち、画像５２の印刷機能を備えた画像表示装置に本発明が適用されるものであってもよい。更には、インターネットを介して接続された遠隔のプリンタにより画像５２の印刷を行うものであってもよく、画像表示装置とプリンタとの間で相互に情報の送受信が行い得る構成であれば本発明の一応の効果を奏する。
【００８２】
また、前述の実施例では、画像表示機能を有すると共に接触による入力装置として機能するタッチパネルディスプレイ１２を備えた画像表示装置１０に本発明が適用された例を説明したが、本発明の画像表示装置は必ずしもタッチパネルディスプレイを備えたものでなくともよく、画像を表示し得るディスプレイを備えた画像表示装置に広く適用されるものである。
【００８３】
また、前述の実施例では、前記プリンタ３８のスペックに関する情報が前記状態取得手段５０により取得されるものであったが、前記画像表示装置１０に接続されて印刷を行うプリンタ３８が予め決まっている場合には、そのプリンタ３８のスペックに関する情報が前記画像表示装置１０の記憶部１６等に記憶されたものであってもよく、更には斯かる情報がインターネット等を介してダウンロードされるものであってもよい。
【００８４】
また、前述の実施例において、前記プレビュー画像作成手段４８は、前記画像５２に付随して表示されるプリントボタン５４が押される等してその画像５２の印刷が選択された後に、その画像５２に対応する印刷プレビュー画像５６を作成するものであったが、前記スライドショー表示制御手段４０によるスライドショー表示制御の開始時や前記プリンタ３８が検出された時点で全ての画像５２に対応するプレビュー画像５６を作成しておき、所定の画像５２の印刷が選択された段階でそのプレビュー画像５６を前記ＲＡＭ３４に展開する等の処理を行うものであってもよい。
【００８５】
その他、一々例示はしないが、本発明はその趣旨を逸脱しない範囲内において種々の変更が加えられて実施されるものである。
【符号の説明】
【００８６】
１０：画像表示装置
２２：表示装置（ディスプレイ）
３８：プリンタ
４０：スライドショー表示制御手段
４２：選択手段
４４：出力手段
４６：印刷検知手段
４８：プレビュー画像作成手段
５０：状態取得手段
５２：画像
５６：プレビュー画像
【図１】
2011154566.tif 000003
【図２】
2011154566.tif 000004
【図３】
2011154566.tif 000005
【図４】
2011154566.tif 000006
【図５】
2011154566.tif 000007
【図６】
2011154566.tif 000008
【図７】
2011154566.tif 000009
【図８】
2011154566.tif 000010
【図９】
2011154566.tif 000011
【図１０】
2011154566.tif 000012
【図１１】
2011154566.tif 000013
【図１２】
2011154566.tif 000014
【図１３】
2011154566.tif 000015
【図１４】
2011154566.tif 000016
【図１５】
2011154566.tif 000017
【図１６】
2011154566.tif 000018
【図１７】
2011154566.tif 000019
【図１８】
2011154566.tif 000020
【図１９】
2011154566.tif 000021
【図２０】
2011154566.tif 000022
【図２１】
2011154566.tif 000023
【図２２】
2011154566.tif 000024